(57)【要約】【課題】燃料電池の長寿命化を図る。【解決手段】水素ガス（Ｈ２）を解離させてプロトン（Ｈ＋）を生成する燃料極１１と、前記燃料極１１と対向配置されて空気中の酸素ガス（Ｏ２）を通過させる空気極１３と、前記燃料極１１と前記空気極１３との間に配置されて前記プロトンを前記空気極１３側に移動させる着脱自在な固体電解質１２とを備え、前記プロトンを前記空気中の酸素ガスと反応させて発電させることを特徴とする燃料電池１０を提供する。【選択図】図１
2007103021.tif 000002
【特許請求の範囲】
【請求項１】
水素ガスを解離させてプロトンを生成する燃料極と、
前記燃料極と対向配置されて空気中の酸素ガスを通過させる空気極と、
前記燃料極と前記空気極との間に配置されて前記プロトンを前記空気極側に移動させる着脱自在な固体電解質とを備え、
前記プロトンを前記空気中の酸素ガスと反応させて発電させることを特徴とする燃料電池。
【請求項２】
燃料極で水素ガスを解離させて生成したプロトンを固体電解質を介して空気極に移動させ、前記プロトンを前記空気中の酸素ガスと反応させて発電させる燃料電池を複数組直列に接続した燃料電池モジュールと、
前記燃料電池モジュールに発生した発電出力値を計測する計測手段と、
前記計測手段で計測した前記燃料電池モジュールの前記発電出力値が初期発電出力値から所定値以下になった場合に、一つ又は全ての前記固体電解質の交換、又は、燃料電池モジュール全体の交換を促す警告手段と、
を少なくとも備えたことを特徴とする燃料電池駆動装置。
【発明の詳細な説明】
【技術分野】
【０００１】
本発明は、水素ガス（Ｈ２）を解離させてプロトン（Ｈ＋）を生成する燃料極と、燃料極と対向配置されて空気中の酸素ガス（Ｏ２）を通過させる空気極と、燃料極と空気極との間に配置されてプロトンを空気極側に移動させる固体電解質とを備え、プロトンを空気中の酸素ガスと反応させて発電させる際に、簡単な構造で長寿命化を図ることができる燃料電池及び燃料電池を複数組直列に接続した燃料電池モジュールを駆動させる燃料電池駆動装置に関するものである。
【背景技術】
【０００２】
従来、民生用や産業用のあらゆる分野において、さまざまな化学電池が使用されている。例えば、一回限りの利用（いわゆる、使い捨て）しかできないアルカリ電池やマンガン電池などの一次電池は、時計，カメラ，携帯機器などに多用されている。一方、繰り返し充放電ができるニッケルカドミウム蓄電池やリチウムイオン電池などの二次電池は、デジタルカメラ，携帯情報端末などに使用されている。
【０００３】
しかしながら、近年、地球環境の面から上記した各電池に対して、使用後の廃棄に対する問題が顕在化してきている。そこで、環境問題に配慮して極めて高いエネルギー変換効率を有する燃料電池を用いたシステムが各種考案されている。また、従来よりも高変換効率の燃料電池及びそのシステムも盛んに報告されている。
【０００４】
例えば下記の特許文献１（特開２００２−６３９１７号公報）に開示されているように、メタノールを燃料とする燃料電池は、メタノールの分解の差異により次のように分類できる。
【０００５】
一つは、メタノールを水などと反応させていったん水素ガスに分解し、この水素ガスを燃料電池の負極側に供給するもので、メタノール改質型燃料電池と称される。
【０００６】
もう一つは、メタノールを水素ガスに転換せずに負極上で直接、水と反応させるダイレクトメタノール（以下、直接メタノールと記す）型と称される燃料電池である。この直接メタノール型燃料電池の利点は、メタノールを液体の形で貯蔵できるので、水素ガスを貯蔵する水素型に比べ、効率的にも安全性の点からも優れていること、しかもガス改質器などは不用となるから、前記したメタノール改質型燃料電池よりも構造的に簡易化（ポータブル化）できると記載されており、ノートブックコンピューター，カメラ一体型ビデオなどのポータブル家電への使用が盛んに検討されている。
【０００７】
ここで、一般的な燃料電池について図７及び図８を用いて説明する。
【０００８】
図７は一般的な燃料電池を説明するために分解して示した分解斜視図、
図８は一般的な燃料電池の動作原理を説明するために模式的に示した図である。
【０００９】
図７に分解して示した如く、一般的に、一つの燃料電池１００は、メタノール，エタノール，イソプロピルアルコールなどの液体燃料から生成された水素ガス（Ｈ２）を解離させてプロトン（Ｈ＋）を生成するための燃料極１０１と、空気中の酸素ガス（Ｏ２）を通過させる空気極１０３とを間隔を離して対向させ、且つ、両極１０１，１０３間にプロトンを燃料極１０１側から空気極１０３側に移動させるための固体電解質１０３を密着させ、且つ、燃料極１０１と空気極１０３とを導電性を有する一対のセパレーター１０４，１０４で密着して挟み込むことにより構成されている。
【００１０】
この際、燃料極１０１及び空気極１０３は、導電性を有し、且つ、水素ガスや酸素ガスが通過できるように緻密質のグラファイトなどを用いてそれぞれポーラス電極状に形成されている。
【００１１】
また、固体電解質１０２は、樹脂材中に白金などの触媒と、導電性を有するカーボン粒子とを混在させて形成されている。
【００１２】
更に、一対のセパレーター１０４，１０４は、導電性を有するグラファイトとか導電性セラミックスなどの材料を用いて燃料極１０１と対向する一方の面に水素ガスが供給される複数の溝１０４ａが形成され、且つ、空気極１０３と対向する他方の面に酸素ガスが供給される複数の溝１０４ｂが上記した複数の溝１０４ａに対して直交して形成されている。尚、セパレーター１０４の一方の面に形成した複数の溝１０４ａと、他方の面に形成した複数の溝１０４ｂとを互いに直交させることなく同一向きに形成しても良い。
【００１３】
そして、上記構成による一つの燃料電池１００を１組（基本単位）としてこれを複数組密着して積層させ、且つ、両端の燃料電池１００のうちで各外側のセパレーター１０４，１０４に導電性がある銅板とかステンレス板などの材質を用いて強度を持った一対の集電板（エンドプレート）１０５，１０５を密着させることで、複数組の燃料電池１００を直列に接続した燃料電池モジュール１００’が構成されている。
【００１４】
この際、複数組の燃料電池１００を積層して燃料電池モジュール１００’を構成した時に、隣り合う燃料電池１００間に挿入したセパレーター１０４は一方及び他方の各面に複数の溝１０４ａ及び複数の溝１０４ｂが形成されているので隣り合う燃料電池１００に対して共用して用いられている。
【００１５】
そして、燃料電池モジュール１００’の両端に設けた一対の集電板１０５，１０５間に例えば電球などの負荷１１０を接続して、燃料電池モジュール１００’を使用している。
【００１６】
ここで、図８に示したように、水素ガス（Ｈ２）を燃料極１０１と接するように導電性を有する一方のセパレーター１０４に形成された複数の溝１０４ａ内に流入させ、且つ、空気中の酸素ガス（Ｏ２）を空気極１０３と接するように導電性を有する他方のセパレーター１０４に形成した複数の溝１０４ｂ内に流入させると共に、一方のセパレーター１０４と他方のセパレーター１０５との間に例えば電球などの負荷１１０を接続した時に、
燃料極１０１側では、反応式  Ｈ２→２Ｈ＋＋２ｅ−  
で示される反応が起こると共に、
空気極１０３側では、反応式  １／２Ｏ２＋２Ｈ＋＋２ｅ−→Ｈ２Ｏ＋反応熱Ｑ
で示される反応が起こり、
全体では、Ｈ２＋１／２Ｏ２→Ｈ２Ｏ
で示される反応が起こることになる。
【００１７】
即ち、一つの燃料電池１００による発電は、水の電気分解に対して逆の動作に基づくものであり、燃料極１０１にて水素ガスが電子を放出してプロトン化し、燃料極１０１で生成したプロトン（Ｈ＋）が固体電解質１０２を通って空気極１０３側に移動し、空気極１０３にてプロトン（Ｈ＋）の供給を受けて酸素ガスと反応して発電する。即ち、かかる電気化学反応に基づいて起電力が発生して、この起電力で負荷１１０となる電球を点灯できると共に、余剰物として水（Ｈ２Ｏ）が生じる。
【００１８】
この時、一つの燃料電池１００の出力は、０．７Ｖ程度と小さいので、ｎ個の燃料電池１００を直列に接続して燃料電池モジュール１００’を構成した時に、０．７ｎＶ程度の起電力が得られる。
【００１９】
ところで、燃料極１０１と空気極１０３との間に固体電解質１０２を密着させた燃料電池１００により発電を行うにあたって、空気中の酸素ガスが燃料電池１００内に取り込まれるため、空気中のゴミや、酸アルカリ微粒子や、海水中の塩類や、無機微粒子などの酸素ガス以外の成分も取り込んでしまう。そして、空気中の酸素ガス以外の成分は、燃料電池１００中の配管内に付着したり、発電をするための固体電解質１０２内に付着したりする。
【００２０】
この際、固体電解質１０２中には、白金などを触媒として、燃料である水素ガスと空気中の酸素ガスとが各々に別々の部位で円滑に化学反応を行い、効率的に電力が取り出せるような構造となっているものの、固体電解質１０２内で空気中の微粒子等の発電作用に機能しない物質が白金触媒と反応して触媒作用を低下させてしまう。これを触媒の被毒といい、反応は不可逆であって、被毒された白金触媒はその触媒性能が著しく低下してしまう。このようになった固体電解質１０２では十分な発電作用を行わせることができず。反応は不加逆なため、固体電解質１０２の性能劣化のみであってもこのようになった燃料電池１００は発電能力が低下してしまうために、もはや使用できなくなってしまうという課題があった。
【００２１】
従って、各種部品を組み立てて使用される燃料電池１００が、固体電解質１０２の性能劣化のためだけで、使用できなく廃棄されることは、地球環境上にとっても資源の無駄遣いであって、大きな課題である。
【００２２】
更に、上記した燃料電池１００をポータブル用家電装置の電力源として使用する場合に、一般的に家電製品は、通常の使用においてはその性能が維持されていることが前提であるために、使用中に発電能力の低下があってはならない。つまり燃料電池１００においてはその電池からの電力を取り出すために、燃料の補給をすることはあっても、燃料電池の発電能力を維持するための、補修や修理などをする概念はない。
【００２３】
これに伴って、燃料電池１００の長寿命化を図る技術的思想がいくつかある。
【００２４】
例えば、下記の特許文献２（特開２００３−２７２６８６号公報）には、運転効率が低下した燃料電池電極に対し、今まで供給していた酸素と水素に変えて、発電の停止状態で、燃料電池を複数積層した燃料電池スタックの燃料極に不活性ガスを供給し、且つ、酸化剤極に水素含有ガスを供給することで、燃料電池電極を復活させて燃料電池装置の長寿命化を図る技術的思想が開示されている。
【００２５】
また、下記の特許文献３（特開２００４−３６２８５６号公報）には、空気中の硫黄化合物により燃料電池が劣化しないように、脱硫器を設けて脱硫剤を交換する時期に至った時に脱硫器を交換することで、燃料電池の長寿命化を図る技術的思想が開示されている。
【特許文献１】特開２００２−６３９１７号公報
【特許文献２】特開２００３−２７２６８６号公報
【特許文献３】特開２００４−３６２８５６号公報
【発明の開示】
【発明が解決しようとする課題】
【００２６】
ところで、燃料電池をポータブル用家電装置の電力源として採用し、この燃料電池に対して長寿命化を図る場合に、上記した特許文献２又は特許文献３に開示された技術的思想を適用した時に以下に述べる問題点が発生してしまう。
【００２７】
即ち、特許文献２に開示された技術的思想を適用した場合には、ポータブル用家電装置に対して、不活性ガスという新たなガスを購入し、しかも燃料発電を停止して、復活修理を行うので、不活性ガスへの出費と、復活修理に対する費用及び時間を使用者に負担させることになるため、この技術的思想を受け入れがたい。
【００２８】
また、特許文献３に開示された技術的思想を適用した場合には、燃料電池内に脱硫器を設けなければならないために、脱硫器によって燃料電池が大型化し、且つ、重量も重くなってしまうために、ポータブル用家電装置に用いる燃料電池としては最適でないことは明らかである。更に、燃料電池の運転効率を決定する固体電解質の性能劣化には考慮していないものであって、メンテナンスの発想のない家電用にははなはだ不便であるという課題がある。
【００２９】
従って、燃料電池を家庭で使用する場合、燃料電池の発電能力の低下に伴って燃料補給以外にも、燃料電池内の消耗劣化部品に対して簡単な構造により簡易に交換できる燃料電池及び燃料電池駆動装置が望まれている。
【課題を解決するための手段】
【００３０】
本発明は上記課題に鑑みてなされたものであり、請求項１記載の発明は、水素ガスを解離させてプロトンを生成する燃料極と、
前記燃料極と対向配置されて空気中の酸素ガスを通過させる空気極と、
前記燃料極と前記空気極との間に配置されて前記プロトンを前記空気極側に移動させる着脱自在な固体電解質とを備え、
前記プロトンを前記空気中の酸素ガスと反応させて発電させることを特徴とする燃料電池である。
【００３１】
また、請求項２記載の発明は、燃料極で水素ガスを解離させて生成したプロトンを固体電解質を介して空気極に移動させ、前記プロトンを前記空気中の酸素ガスと反応させて発電させる燃料電池を複数組直列に接続した燃料電池モジュールと、
前記燃料電池モジュールに発生した発電出力値を計測する計測手段と、
前記計測手段で計測した前記燃料電池モジュールの前記発電出力値が初期発電出力値から所定値以下になった場合に、一つ又は全ての前記固体電解質の交換、もしくは、燃料電池モジュール全体の交換を促す警告手段と、
を少なくとも備えたことを特徴とする燃料電池駆動装置である。
【発明の効果】
【００３２】
請求項１記載の燃料電池によると、水素ガスを解離させてプロトンを生成する燃料極と、燃料極と対向配置されて空気中の酸素ガスを通過させる空気極と、燃料極と空気極との間に配置されてプロトンを空気極側に移動させる着脱自在な固体電解質とを備え、プロトンを空気中の酸素ガスと反応させて発電させる燃料電池であるので、燃料電池の発電能力の低下に伴って、発電能力の低下の原因となる固体電解質のみを新品と交換することで、再度良好な発電能力を有する燃料電池に回復するために、燃料電池の長寿命化を図ることができ、且つ、燃料電池全てを交換することがないので、コスト負担にならずまた廃棄物の少なくなる燃料電池を提供できる。
【００３３】
また、請求項２記載の燃料電池駆動装置によると、燃料極で水素ガスを解離させて生成したプロトンを固体電解質を介して空気極に移動させ、プロトンを空気中の酸素ガスと反応させて発電させる燃料電池を複数組直列に接続した燃料電池モジュールと、燃料電池モジュールに発生した発電出力値を計測する計測手段と、計測手段で計測した燃料電池モジュールの発電出力値が初期発電出力値から所定値以下になった場合に、一つ又は全ての固体電解質の交換、もしくは、燃料電池モジュール全体の交換を促す警告手段と、を少なくとも備えたために、一つ又は全ての固体電解質の交換タイミング、もしくは、燃料電池モジュール全体の交換タイミングを把握でき、この段階で一つ又は全ての固体電解質、もしくは、燃料電池モジュール全体を交換すれば、燃料電池モジュールの発電出力値が初期発電出力値まで完全に回復できるため、燃料電池モジュールの長寿命化を図ることができる。
【発明を実施するための最良の形態】
【００３４】
以下に本発明に係る燃料電池及び燃料電池駆動装置の一実施例について図１〜図６を参照して実施例１，実施例２の順に詳細に説明する。
【実施例１】
【００３５】
図１は本発明に係る実施例１の燃料電池の構造を説明するための縦断面図、
図２は本発明に係る実施例１の燃料電池モジュールを駆動する燃料電池駆動装置を模式的に示した構成図、
図３は実施例１に対する比較例において、固体電解質の表面の汚れ付着による発電出力低下時に、燃料供給量を増やして発電出力回復を図った状態を示した図、
図４は実施例１において、燃料電池の発電能力の低下に伴って固体電解質のみを交換して発電出力回復を図った状態を示した図、
図５は実施例１において、固体電解質の性質を説明するための図である。
【００３６】
図１に示した如く、実施例１において、一つの燃料電池１０は、メタノール，エタノール，イソプロピルアルコールなどの液体燃料から生成された水素ガス（Ｈ２）を解離させてプロトン（Ｈ＋）を生成するための燃料極１１と、空気中の酸素ガス（Ｏ２）を通過させる空気極１３とを間隔を離して対向させ、且つ、両極１１，１３間にプロトンを燃料極１１側から空気極１３側に移動させるための固体電解質１３を密着させ、且つ、燃料極１１と空気極１３とを導電性を有する一対のセパレーター１４，１４で密着して挟み込むことにより構成されており、更に、上記構成による一つの燃料電池１０を１組（基本単位）としてこれを複数組密着して積層させ、且つ、両端の燃料電池１０のうちで各外側のセパレーター１４，１４に導電性があり且つ強度を持った一対の集電板（エンドプレート）１５，１５を密着させることで、複数組の燃料電池１０を直列に接続した燃料電池モジュール１０’が構成されている点は、先に図７を用いて説明した一般的な燃料電池１００を複数組密着して積層した燃料電池モジュール１００’の構成と同じであるものの、一般的な燃料電池１００に対して異なる点は、固体電解質１２のみを着脱自在に成したことにより、燃料電池１０の発電能力の低下に伴って固体電解質１２のみを簡単な構造により新品と交換可能に構成した点に特徴があるものである。
【００３７】
この実施例１でも、先に図８を用いて説明した動作原理により、一つの燃料電池１０で発生する起電力は０．７Ｖ程度と小さいので、燃料電池１０をｎ個直列に接続した燃料電池モジュール１０’では０．７ｎＶ程度の起電力が得られている。
【００３８】
より具体的に説明すると、本発明に係る燃料電池１０は、導電性を有する緻密質のグラファイトなどを用いてそれぞれポーラス電極状に形成された燃料極１１と空気極１３とが間隔を離して対向していると共に、導電性を有するグラファイトとか導電性セラミックスなどの材料を用いて燃料極１１に水素ガス（Ｈ２）を供給するための複数の溝１４ａを一方の面に形成し、且つ、空気極１３に空気中の酸素ガス（Ｏ２）を供給するための複数の溝１４ｂを他方の面に形成した一対のセパレーター１４，１４が燃料極１１と空気極１３とを挟んでそれぞれ密着して設けられている。
【００３９】
また、燃料極１１及び空気極１３は、間隔を離して互いに対向する対向面１１ａ，１３ａが平滑なハ字状のテーパ面として形成されており、且つ、ハ字状の対向面１１ａ，１３
間は図示上端側の間隔が幅狭く形成されている一方、図示下端側の間隔が幅広く形成されている。
【００４０】
そして、燃料極１１と空気極１３との間に形成された間隔内に、燃料極１１及び空気極１３のハ字状の対向面１１ａ，１３ａに合わせて挿入方向側が幅狭いハ字状の楔型テーパ面１２ａ，１２ｂを有する固体電解質１２が着脱自在になっており、且つ、ハ字状の楔型テーパ面１２ａ，１２ｂは燃料極１１及び空気極１３の対向面１１ａ，１３ａに対して良好に密着できるように平滑に形成されている。
【００４１】
ここで、上記した固体電解質１２は、例えばパーフルオロスルフォン酸樹脂材のように樹脂分子末端にスルフォン酸基を有しているものが使用されており、このパーフルオロスルフォン酸樹脂材中に触媒として白金微粒子と、導電性を有するカーボン粒子とを混在させている。
【００４２】
この際、固体電解質１２の性能劣化は、主に白金触媒が硫黄などの物質と反応して触媒作用が低下してしまったり（被毒）、塗装工事雰囲気や、新築家屋内での使用時にはアセトン，トルエンなどの有機溶剤が固体電解質１２内に吸着されることにより生じ、これに伴って燃料電池１０の発電能力の低下が生じる。
【００４３】
更に、上記構成による燃料電池１０を１組（基本単位）としてこれを複数組密着して積層させ、且つ、両端の燃料電池１０のうちで各外側のセパレーター１４，１４に導電性がある銅板とかステンレス板などの材質を用いて強度を持った一対の集電板（エンドプレート）１５，１５を密着させることで、複数組の燃料電池１０を直列に接続した燃料電池モジュール１０’が構成されている。
【００４４】
この際、燃料電池モジュール１０’中で一端側の燃料極１１，セパレーター１４に接続する一方の集電板１５はカソード（−極）側に接続され、且つ、他端側の空気極１３，セパレーター１４に接続する他方の集電板１５はアノード（＋極）側に接続されるようになっている。
【００４５】
更に、燃料電池モジュール１０’を構成した時に、各組の固体電解質１２は幅狭い挿入方向側に対して反対で幅広い部位にそれぞれ板バネ１６の一端を固着させ、且つ、各板バネ１６の他端を蓋部材１７に略等間隔に固着させており、燃料電池モジュール１０’の発電能力の低下に伴って蓋部材１７を介して複数組の固体電解質１２のみを同時に交換する時に、各組の固体電解質１２を各組の料極１１と空気極１３との間に挿入して交換した後に蓋部材１７の左右をネジ１８，１８により固定している。
【００４６】
これにより、各組の固体電解質１２は板バネ１６の付勢力により絶えず燃料極１１側と空気極１３側とに応力が加わった状態に維持できるために接触抵抗を低くできると共に、各組の固体電解質１２を同時に交換した後も安定な電力を取り出せることができる。
【００４７】
尚、この実施例１では、燃料電池モジュール１０’中で各組の固体電解質１２を同時に交換可能に構成したが、これに限ることなく、燃料電池１０の発電能力の低下に伴って固体電解質１２を一個づつ交換可能に構成することも可能である。
【００４８】
次に、上記構成による燃料電池モジュール１０’を駆動するための燃料電池駆動装置２０について図２を用いて説明すると、燃料電池駆動装置２０の燃料供給側では、液体燃料として例えばメタノール水を貯蔵した燃料カートリッジ２１と、燃料カートリッジ２１内に貯蔵したメタノール水を送り出す配管Ｐ１と、配管Ｐ１を通ったメタノール水を吸い上げて送り出す流体ポンプ２２と、流体ポンプ２２からのメタノール水を送り出す配管Ｐ２と、配管Ｐ２を通ったメタノール水から水素ガスを生成する水素ガス発生器２３と、水素ガス発生器２３で生成した水素ガスを流量検出器２４と燃料電池モジュール１０’中に設けた複数組のセパレーター１４の各溝１４ａ内に供給するために複数に分岐した配管Ｐ３と、複数組のセパレーター１４の各溝１４ａ内に送られた水素ガスが接する複数組の燃料極１１とで構成されている。
【００４９】
尚、この実施例１では液体燃料としてメタノールを用いた例を提示したが、これに限ることなく、純メタノールやエタノール，イソプロピルアルコールなどの他の種類のアルコールを使用することもある。
【００５０】
一方、燃料電池駆動装置２０の空気供給側では、空気を送り出す配管Ｐ４と、配管Ｐ４を通った空気を送り出す空気ポンプ２５と、空気ポンプ２５からの空気を流量検出器２６と燃料電池モジュール１０’中に設けた複数組のセパレーター１４の各溝１４ｂ内に供給するために複数に分岐した配管Ｐ５と、複数組のセパレーター１４の各溝１４ｂ内に送られた空気中の酸素ガスが接する複数組の空気極１３とで構成されている。
【００５１】
尚、エアポンプもなく、温度差、濃度勾配、表面張力などを利用した自然拡散によりメタノール水や、水素ガスや、空気を輸送する燃料電池も存在する。
【００５２】
また、各組の燃料極１１と各組の空気極１３との間には、燃料電池モジュール１０’の発電能力の低下に伴って蓋部材１７を介して各組の固体電解質１２が交換可能に装着されている。
【００５３】
また、燃料電池モジュール１０’には、水素ガスと固体電解質１２と空気中の酸素ガスとにより発電した時に生じる余剰な水（Ｈ２Ｏ）を排水するための配水管Ｐ６が接続されている。
【００５４】
また、燃料電池モジュール１０’中で燃料極１１，セパレーター１４に接続する一方の集電板１５はカソード（−極）側となり、且つ、空気極１３，セパレーター１４に接続する他方の集電板１５はアノード（＋極）側となり、カソード側とアノード側との間に負荷２７と、水素ガスと固体電解質１２と酸素ガスとにより発電された複数組の燃料電池１０の各発電出力値を合計して燃料電池モジュール１０’の発電出力値を計測する電力計２８とが接続されている。言い換えると、燃料電池モジュール１０’の両端に負荷２７と電力計２８とが接続されている。
【００５５】
尚、電力計２８に代えて不図示の電流計（電流Ｉ）と電圧計（電圧Ｖ）とを接続しても燃料電池モジュール１０’の発電出力値となる電力（Ｗ＝ＶＩ）を計測できる。
【００５６】
また、上記した流量検出器２４で検出した水素ガスの流量値と、流量検出器２６で検出した空気の流量値と、電力計２８で計測した燃料電池モジュール１０’の発電出力値は、それぞれ制御回路２９に送られている。
【００５７】
この際、制御回路２９は、流量検出器２４で検出した水素ガスの流量値が基準値以下の場合に水素ガスの流量を増加するように流体ポンプ２２を制御している。
【００５８】
また、制御回路２９は、流量検出器２６で検出した空気の流量値が基準値以下の場合に空気の流量を増加するように空気ポンプ２５を制御している。
【００５９】
更に、制御回路２９は、電力計２８で計測した燃料電池モジュール１０’の初期発電出力値に対してある程度減少した場合に水素ガスの流量を増加するように流体ポンプ２２を制御して燃料電池モジュール１０’の発電出力値の回復を一時的に行う一方、燃料電池モジュール１０’の初期発電出力値に対して例えば３０％以下に低減した時に、一つ又は全ての固体電解質１２の交換を促すための警告を固体電解質交換警告部３０に知らせているので、一つ又は全ての固体電解質１２の交換タイミングを把握でき、この段階で一つ又は全ての固体電解質１２のみを新品と交換すれば、燃料電池モジュール１０’の発電出力が初期発電出力値まで完全に回復できるため、燃料電池モジュール１０’の長寿命化を図ることができる。
【００６０】
ここで、燃料電池１０に対して長寿命化を図る際に、図３に示した実施例１に対する比較例の場合と、図４に示した実施例１の場合とについて説明する。尚、図３，図４中において、横軸は燃料電池モジュール１０’の運転時間（Ｈ）を示し、縦軸は燃料電池モジュール１０’の発電出力値に対して初期発電出力値を１００％としてパーセント表示している。
【００６１】
まず、図３に示した如く、実施例１に対する比較例の場合では、燃料電池モジュール１０’の運転時間の経過に伴って、空気中に含まれるゴミ，油粒子，塩類微粒子，酸アルカリ微粒子，硫黄化合物微粒子は、各組の燃料電池１０中で空気極１３側の固体電解質１２の表面にゴミとしてたまり、これらの化学物質が白金触媒に付着したり、化学反応を起こしたりして、白金触媒の性能が低下して、各組の燃料電池１０の発電効率が低下する。
【００６２】
この際、発電出力値のある程度の変動に対しては、電力計２８の出力値を監視し、電力計２８に表示された初期発電出力値に対してある程度低下した時に流体ポンプ２２を動作してメタノール水を増加させることで一時的に発電出力回復ができ、この動作を運転時間の経過に従って段階的に繰り返すことで寿命が延長されるものの、固体電解質１２内の白金触媒の被毒は回復することがないので、更に運転時間が経過して発電出力値が一定の値を下回ると、燃料電池モジュール１０’は使用できなくなってしまう。
【００６３】
上記に対して図４に示した本発明では、電力計２８の出力値を監視し、電力計２８に表示された初期発電出力値に対してある程度低下した時に比較例と同様にメタノール水を増加させることで一時的に発電出力回復を図っているものの、燃料電池モジュール１０’の初期発電出力値に対して例えば３０％以下に低減して発電能力の低下が生じた時に、一つ又は全ての固体電解質１２の交換を促すための警告を固体電解質交換警告部３０に知らせているので、この段階で一つ又は全ての固体電解質１２のみを前記した簡単な構造により新品と交換すれば、燃料電池モジュール１０’の発電出力値が初期発電出力値まで完全に回復できる。
【００６４】
これにより、被毒して白金触媒を含む固体電解質１２は、容易に新しい固体電解質１２に交換することができるため、発電部分以外の部品は今まで通り使用することができ、且つ、燃料電池１０全て又は燃料電池モジュール１０’全てを交換することがないので、コスト負担にならずまた廃棄物の少なくなる燃料電池１０又は燃料電池モジュール１０’を提供できると共に、長期間にわたり各組の燃料電池１０を良好に使用することができ、燃料電池モジュール１０’の長寿命化を図ることができる。
【００６５】
ここで、上記した実施例１では、燃料極１１の対向面１１ａと空気極の対向面１３ａとを互いに間隔を離してハ字状のテーパ面として形成したが、これに限ることなく、対向面１１ａ，１３ａ同士を電極間距離が等しく平行に設置しても良く、この場合には、交換される固体電解質１２のガラス転移温度が挿入環境温度より低くなるように設定しておけば良好な挿入と接触状態を確保することができる。
【００６６】
即ち、固体電解質１２は、前述したように、パーフルオロスルフォン酸樹脂材中に触媒として白金微粒子と、導電性を有するカーボン粒子とを混在させているので、図５に示した如く、横軸に温度（°Ｃ）を示し、縦軸にヤング率（ＧＰａ）を示した時に、固体電解質１２はそのガラス転移点以下の温度（例えば２０°Ｃ以下）であると、１０００から５０００ＧＰａ程度のヤング率を有しており、硬く反発性を有した状態である。しかしながら、ガラス転移点以上の温度（例えば２０°Ｃ以上）で１０ＧＰａ程度のヤング率となるようにしておけば、燃料極１１の対向面１１ａと空気極の対向面１３ａとがハ字状のテーパ面になっていなく、所定の間隔を持った平行面になっていても、固体電解質１２を挿入後、板バネ１６と蓋部材１７を用いて外部より固体電解質１２に大きな力をかけることで、固体電解質１２は簡単に変形することができ、互いに平行な燃料極１１と空気極１３とに対して固体電解質１２の接触状態を良好に保つことができる。
【００６７】
図５において、固体電解質１２のガラス転移点は、例えば２０°Ｃ程度に設定されているので、４０°Ｃの雰囲気内で固体電解質１２を使用する時には良好な接触状態を保つことができる。
【００６８】
この際、固体電解質１２のガラス転移温度を所望の温度領域に設定する場合に、固体電解質１２のガラス転移温度は樹脂材中の分子の構造によって決まり、樹脂材は炭素と水素の結合から成り立っているがその基本単位は，ポリエチレンに代表されるエチレン結合で（−ＣＨ２−ＣＨ２−）という構造で成り立っており、このＣＨ２単位が１個の場合にガラス転移温度は約１００°Ｃ位となり、ＣＨ２−ＣＨ２と２個つながるとガラス転移温度は約０°Ｃ位となり、ＣＨ２−ＣＨ２−ＣＨ２と３個つながるとガラス転移温度は−４０°Ｃ位と大きく変化する。
【００６９】
しかしながら、エチレン結合の周囲にある分子の種類によってもガラス転移温度は変化するので、固体電解質１２を構成するパーフルオロスルフォン酸樹脂材中にこれとはガラス転移温度が異なる樹脂として例えばアクリル酸エステルを混合させることで、ガラス転移温度を所望の温度に設定することもできる。
【００７０】
即ち、アクリル酸エステルの末端基にパーフルオロスルフォン酸基を結合させ、且つ、アクリル酸エステルのエステル基にベンゼン環，エチル基などを結合させてその割合を変化させることで、固体電解質１２のガラス転移温度を所望の温度領域に設定したり、異なるエステル基を個別に有する樹脂材を適意選択して混合させることにより、混合させた個別の樹脂材の最高ガラス転移点温度と最低ガラス転移点温度との間にガラス転移点温度を調整することで達成される。
【００７１】
例えば、アクリル樹脂（ガラス転移温度４５°Ｃ）とスチロール樹脂（ガラス転移温度９０°Ｃ）とを混ぜ合わせると、両者の混合比率によりガラス転移温度は４５°Ｃと９０°Ｃとの間に設定でき、また、エチレンとアクリル酸とを化学的に重合させたエチレンアクリル酸共重合樹脂材は、エチレンとアクリル酸との比率によりガラス転移温度を−２０°Ｃから４０°Ｃの間の任意の温度に設定できる。
【００７２】
更に、上記した固体電解質１２は空気中の各種有害物質により被毒されるから、固体電解質１２が製造されてから使用されるまでは、プラスチックフィルムなどで包装され、外気と直接接触しない状態で保管されておくべきである。この様にプラスチック等で包装された状態で、交換される固体電解質１２が使用者に届くことにより、使用者は安心して固体電解質１２のみを交換することができる。
【実施例２】
【００７３】
図６は本発明に係る実施例２の燃料電池の構造を説明するための縦断面図である。
【００７４】
図６に示した如く、実施例２において、一つの燃料電池１０は、メタノール，エタノール，イソプロピルアルコールなどの液体燃料から生成された水素ガス（Ｈ２）を解離させてプロトン（Ｈ＋）を生成するための燃料極１１と、空気中の酸素ガス（Ｏ２）を通過させる空気極１３とを間隔を離して対向させ、且つ、両極１１，１３間にプロトンを燃料極１１側から空気極１３側に移動させるための固体電解質１３を密着させ、且つ、燃料極１１と空気極１３とを導電性を有する一対のセパレーター１４，１４で挟み込むことにより構成されており、更に、上記構成による一つの燃料電池１０を１組（基本単位）としてこれを複数組密着して積層させ、且つ、両端の燃料電池１０のうちで各外側のセパレーター１４，１４に導電性があり且つ強度を持った一対の集電板（エンドプレート）１５，１５を密着させることで、複数組の燃料電池１０を直列に接続した燃料電池モジュール１０’’が構成されている点は、先に図１を用いて説明した実施例１と同じであるものの、実施例１に対して異なる点は、各組の固体電解質１２の厚みが薄いために各組又は全ての固体電解質１２のみを交換することが困難であるので、燃料電池モジュール１０’’の発電能力の低下に伴って燃料電池モジュール１０’’全体を交換可能に構成した点に特徴があるものである。
【００７５】
この実施例２でも、先に図８を用いて説明した動作原理により、一つの燃料電池１０で発生する起電力は０．７Ｖ程度と小さいので、燃料電池１０をｎ個直列に接続した燃料電池モジュール１０’’では０．７ｎＶ程度の起電力が得られている。
【００７６】
ここで、燃料電池モジュール１０’’中で両端に設けた一対の集電板１５，１５の外側に一対の絶縁体３１，３１が固着され、更に、一対の絶縁体３１，３１の外側に一対の板バネ３２，３２が固着されている。
【００７７】
また、燃料電池モジュール１０’’中で一端側の燃料極１１，セパレーター１４に接続する一方の集電板１５に端子３３が接続されており、この端子３３が後述する電池ケース４０側に向かって突出され、且つ、他端側の空気極１３，セパレーター１４に接続する他方の集電板１５に端子３４が接続されており、この端子３４も電池ケース４０側に向かって突出されている。尚、図示の都合上、発電時に生じる余剰な水を処理する排水管の図示を省略している。
【００７８】
また、各組のセパレーター１４の溝１４ａは水素供給用のガス管３５で結ばれてこのガス管３５の一端が電池ケース４０側に向かって突出され、且つ、各組のセパレーター１４の溝１４ｂは酸素供給用のガス管３６で結ばれてこのガス管３６の一端が電池ケース４０側に向かって突出されている。
【００７９】
一方、燃料電池モジュール１０’’全体を交換可能に装着される電池ケース４０には、カソード（−極）端子４１が燃料電池モジュール１０’’側に設けた上記端子３３に対して接離自在に設けられ、且つ、アノード（＋極）端子４２が燃料電池モジュール１０’’側に設けた上記端子３４に対して接離自在に設けられ、更に、水素供給用のガス管４３が燃料電池モジュール１０’’側に設けた上記ガス管３５に対して接離自在に設けられ、且つ、酸素供給用のガス管４４が燃料電池モジュール１０’’側に設けた上記ガス管３６に対して接離自在に設けられている。
【００８０】
そして、この実施例２でも、先に図２を用いて説明したと略同じ回路構成を適用し、且つ、実施例１における固体電解質交換警告部３０に代えて実施例２として燃料電池モジュール交換警告部（図示せず）を設置することで、実施例１と同様に、電力計で計測した燃料電池モジュール１０’’の初期発電出力値に対して例えば３０％以下に低減して発電能力の低下が生じた時に、燃料電池モジュール１０’’全体の交換を促すための警告を燃料電池モジュール交換警告部（図示せず）に知らせているので、燃料電池モジュール１０’’全体の交換タイミングを把握でき、この段階で燃料電池モジュール１０’’全体を交換すれば、燃料電池モジュール’’の初期発電出力値が再び得られる。
【００８１】
この際、不良になった燃料電池モジュール１０’’を電池ケース４０から取り外し、新品の燃料電池モジュール１０’’の両端に設けた一対の板バネ３２，３２を電池ケース４０の内側に圧接させて押し込むことで、新品の燃料電池モジュール１０’’の交換が完了する。
【００８２】
上記のように燃料電池モジュール１０’’全体を交換する場合、燃料電池モジュール１０’’の出力線の接点は少ない方が接触不良が生じる確率が少なくなるので望ましいので、着脱される燃料電池モジュール１０’’は各組の燃料電池１０が直列に結線されている状態としている。また、着脱によるガス漏れを防ぐ意味からも各組の燃料電池１０に供給されるガス配管３５，３６は燃料電池モジュール１０’’内で配管される方が望ましい。このような構成からなる燃料電池モジュール１０’’は、電池ケース４０内に簡単に装着できるようにモジュールとして組み立てられていることが望ましい。
【００８３】
更に、燃料電池モジュール１０’’全体の交換にあたって、固体電解質１２は空気中の各種有害物質により被毒され、燃料極１１及び空気極１３は固体電解質１２に対して有害な被毒物質を吸着させたり、セパレーター１４に通じるガス配管内にゴミなどが入り、燃料極１１及び空気極１３に対して寿命を縮めてしまうから、燃料電池モジュール１０’’が製造されてから使用されるまでは、プラスチックフィルムなどで包装され、外気と直接接触しない状態で保管されておくべきである。この様にプラスチック等で包装された状態で、交換される燃料電池モジュール１０’’が使用者に届くことにより、使用者は安心して燃料電池モジュール１０’’を交換することができる。
【図面の簡単な説明】
【００８４】
【図１】本発明に係る実施例１の燃料電池の構造を説明するための縦断面図である。
【図２】本発明に係る実施例１の燃料電池モジュールを駆動する燃料電池駆動装置を模式的に示した構成図である。
【図３】実施例１に対する比較例において、固体電解質の表面の汚れ付着による発電出力低下時に、燃料供給量を増やして発電出力回復を図った状態を示した図である。
【図４】実施例１において、燃料電池の発電能力の低下に伴って固体電解質のみを交換して発電出力回復を図った状態を示した図である。
【図５】実施例１において、固体電解質の性質を説明するための図である。
【図６】本発明に係る実施例２の燃料電池の構造を説明するための縦断面図である。
【図７】一般的な燃料電池を説明するために分解して示した分解斜視図である。
【図８】一般的な燃料電池の動作原理を説明するために模式的に示した図である。
【符号の説明】
【００８５】
１０…燃料電池、１０’，１０’’…燃料電池モジュール、
１１…燃料極、１２…固体電解質、１３…空気極、
１４…セパレーター、１４ａ，１４ｂ…溝、
１５…集電板、１６…板バネ、１７…蓋部材、１８…ネジ、
２０…燃料電池駆動装置、２１…燃料カートリッジ、２２…流体ポンプ、
２３…水素ガス発生器、２４…流量検出器、２５…空気ポンプ、２６…流量検出器、
２７…負荷、２８…電力計、２９…制御回路、３０…固体電解質交換警告部、
３１…絶縁板、３２…板バネ、３３，３４…端子、３５，３６…ガス管、
４０…電池ケース、４１…カソード（−極）端子、４２…アノード（＋極）端子、
４３，４４…ガス管、
Ｐ１〜Ｐ５…配管、Ｐ６…配水管。
【図１】
2007103021.tif 000003
【図２】
2007103021.tif 000004
【図３】
2007103021.tif 000005
【図４】
2007103021.tif 000006
【図５】
2007103021.tif 000007
【図６】
2007103021.tif 000008
【図７】
2007103021.tif 000009
【図８】
2007103021.tif 000010